(57)【要約】【課題】複数のパネルをヒンジで連結し、開放動作の初期にレールに沿って直線移動する方式で、戸尻側の側框と戸尻側パネルの端部間に、初期直線移動を許容するための比較的広い空間部を設定した折戸開閉機構において、折戸の開放動作時に前記空間部が狭まっても指詰めを確実に防止することができる指詰防止装置を提供する。【解決手段】戸尻側パネル６の戸尻側端部に対応する側框３の奥部を、その表側部１７よりも初期直線移動方向側へ退避させて凹陥部１８を形成した。戸尻側の側框３は、断面略Ｌ字形の概略形状であり、表裏一側部にレールに沿った目隠し壁部５５と、間口部の終端を形成する端面壁部５６とを有し、端面壁部に凹陥部１８を形成するとともに、目隠し壁部の端縁で戸尻側パネル側に切欠部５７を設け、切欠部にパッキン５８を装着した。【選択図】        図１２
2008121355.tif 000002
【特許請求の範囲】
【請求項１】
複数のパネルをヒンジで連結し、開放動作の初期にレールに沿って直線移動する方式で、戸尻側の側框と戸尻側パネルの端部間に、初期直線移動を許容するための比較的広い空間部を設定した折戸開閉機構において、前記戸尻側パネルの戸尻側端部に対応する前記側框の奥部を、その表側部よりも初期直線移動方向側へ退避させて凹陥部を形成したことを特徴とする折戸開閉機構における指詰防止装置。
【請求項２】
前記戸尻側の側框は、断面略Ｌ字形の概略形状であり、表裏一側部に前記レールに沿った目隠し壁部と、間口部の終端を形成する端面壁部とを有し、折戸の閉止状態で、前記目隠し壁部と戸尻側パネルの端部は僅かの間隙を設けて前後に重なった状態となっており、前記端面壁部に前記凹陥部を形成するとともに、前記目隠し壁部の端縁で前記戸尻側パネル側に切欠部を設け、該切欠部にパッキンを装着してなる請求項１記載の折戸開閉機構における指詰防止装置。
【請求項３】
前記戸尻側の側框で間口部の終端を形成する前記端面壁部の表側上下端部に、前記折戸が開放された際に前記戸尻側パネルを当止するための弾性材料からなる緩衝部材を突設してなる請求項１又は２記載の折戸開閉機構における指詰防止装置。
【請求項４】
戸先側パネルを回動可能に連結するとともに、前記レールに沿って直線移動する袖パネルの回動連結側の端部構造であって、前記袖パネルの側端面から前面側にかけて回動中心を中心軸とした円筒面若しくは円筒面に近い曲面を有するガイド部を形成し、前記戸先側パネルの側端に設けた目地部材と前記ガイド部の表面との間隔を常に指が嵌らない程度に狭く維持してなる請求項１〜３何れかに記載の折戸開閉機構における指詰防止装置。
【発明の詳細な説明】
【技術分野】
【０００１】
本発明は、折戸開閉機構における指詰防止装置に係わり、更に詳しくはレール上を転動するローラにより吊下げ式で複数枚のパネルが連動して開閉する折戸開閉機構における指詰防止装置に関するものである。
【背景技術】
【０００２】
従来から、ヒンジで連結した二枚の戸先側パネルと戸尻側パネルを折畳んで開放したり、伸展して閉止したりする折戸は各種提供されている。特許文献１には、戸先側と戸尻側パネルのそれぞれの側部に横幅の狭い袖パネルをヒンジにて連結し、該袖パネルの上端部に設けたランナがガイドレールに沿って移動するように配置し、折戸の開閉時に前記袖パネルがレールに沿って直線的に移動する開閉機構が開示されている。
【０００３】
また、特許文献２には、ヒンジにてドア枠に回動可能に取付けたドアパネルと該ドア枠との間での指詰め防止構造として、ドアパネルの戸当たり部側に指詰め防止用凹部を形成し、該指詰め防止用凹部に、容易に変形可能な軟質弾性体を付設した点が開示されている。ここで、前記軟質弾性体は、指詰め防止用凹部に連続して設けた係合溝部に挿入する支持部と、指詰め防止用凹部を埋めるクッション部とにより構成している。
【０００４】
また、特許文献３には、２枚のパネルが蝶番を介して繋がれ、一方のパネルは吊元側を回転可能に支持すると共に他方のパネルは上レールを走行する吊車に吊設して成る折戸の継手部における指詰め防止構造において、継手部のパネル側端で蝶番とは反対側に縦桟及びエッジを屈曲して凹部をそれぞれ形成し、一方のパネル凹部底にはクッション材を取付けると共に、該クッション材先端を他方のパネル凹部底に接したり又は近接するように延ばした指詰め防止構造が開示されている。
【特許文献１】特開平８−１６５８３９号公報
【特許文献２】特許第３６２８５３０号公報
【特許文献３】特開平１１−１５９２５４号公報
【発明の開示】
【発明が解決しようとする課題】
【０００５】
ところで、折戸が上部に設けたレール部材上を転動するローラにより吊下げ式で、戸先側パネルと戸尻側パネルとを中間連結体を介して等角回動可能に連結するとともに、前記戸先側パネルの側部に横幅の狭い袖パネルを配して該戸先側パネルと側部ヒンジ部で自由回動可能に直接連結した構造であり、開放初期の動作時にレールに沿って直線移動する折戸開閉機構の場合、戸尻側の側框と戸尻側パネルの端部間に、初期直線移動を許容するための比較的広い空間部を設定する必要がある。前記空間部は、折戸の開放動作時に狭まるので、指詰防止の手段を講じなければならない。しかし、上記特許文献２、３には、そのような空間部での指詰防止機能は提供されてない。
【０００６】
そこで、本発明が前述の状況に鑑み、解決しようとするところは、複数のパネルをヒンジで連結し、開放動作の初期にレールに沿って直線移動する方式で、戸尻側の側框と戸尻側パネルの端部間に、初期直線移動を許容するための比較的広い空間部を設定した折戸開閉機構において、折戸の開放動作時に前記空間部が狭まっても指詰めを確実に防止することができる指詰防止装置を提供する点にある。
【課題を解決するための手段】
【０００７】
本発明は、前述の課題解決のために、複数のパネルをヒンジで連結し、開放動作の初期にレールに沿って直線移動する方式で、戸尻側の側框と戸尻側パネルの端部間に、初期直線移動を許容するための比較的広い空間部を設定した折戸開閉機構において、前記戸尻側パネルの戸尻側端部に対応する前記側框の奥部を、その表側部よりも初期直線移動方向側へ退避させて凹陥部を形成したことを特徴とする折戸開閉機構における指詰防止装置を構成した（請求項１）。
【０００８】
ここで、前記戸尻側の側框は、断面略Ｌ字形の概略形状であり、表裏一側部に前記レールに沿った目隠し壁部と、間口部の終端を形成する端面壁部とを有し、折戸の閉止状態で、前記目隠し壁部と戸尻側パネルの端部は僅かの間隙を設けて前後に重なった状態となっており、前記端面壁部に前記凹陥部を形成するとともに、前記目隠し壁部の端縁で前記戸尻側パネル側に切欠部を設け、該切欠部にパッキンを装着してなることが好ましい（請求項２）。
【０００９】
そして、前記戸尻側の側框で間口部の終端を形成する前記端面壁部の表側上下端部に、前記折戸が開放された際に前記戸尻側パネルを当止するための弾性材料からなる緩衝部材を突設してなることがより好ましい（請求項３）。
【００１０】
また、戸先側パネルを回動可能に連結するとともに、前記レールに沿って直線移動する袖パネルの回動連結側の端部構造であって、前記袖パネルの側端面から前面側にかけて回動中心を中心軸とした円筒面若しくは円筒面に近い曲面を有するガイド部を形成し、前記戸先側パネルの側端に設けた目地部材と前記ガイド部の表面との間隔を常に指が嵌らない程度に狭く維持してなることも好ましい（請求項４）。
【発明の効果】
【００１１】
以上にしてなる請求項１に係る発明の折戸開閉機構における指詰防止装置によれば、開放動作の初期にレールに沿って直線移動する方式で、戸尻側の側框と戸尻側パネルの端部間に、初期直線移動を許容するための比較的広い空間部を設定した折戸開閉機構であっても、前記戸尻側パネルの戸尻側端部に対応する前記側框の奥部を、その表側部よりも初期直線移動方向側へ退避させて凹陥部を形成したことにより、初期直線移動を許容するための十分な広さの空間部を確保でき、しかも折戸を開放する動作時に側框と戸尻側パネルの戸尻側端部との間隔が最も狭くなった場合でも前記凹陥部の存在によって指を退避させて保護することができ、また前記側框の奥部に凹陥部を形成したので、側框の表側部は間口部内へ突出した状態となり、前記空間部の一部を隠すことができるので、外観性の向上も図れるのである。
【００１２】
請求項２によれば、前記戸尻側の側框は、断面略Ｌ字形の概略形状であり、表裏一側部に前記レールに沿った目隠し壁部と、間口部の終端を形成する端面壁部とを有し、折戸の閉止状態で、前記目隠し壁部と戸尻側パネルの端部は僅かの間隙を設けて前後に重なった状態となっているので、折戸の開閉動作時に常に目隠し壁部と戸尻側パネルの端部とが前後に重なるので透視されず、しかも目隠し壁部は戸尻側パネルに対する隙間は小さいので指詰めの恐れがないのである。また、折戸の開放時に戸尻側パネルに連結した戸先側パネルの戸先側端部若しくは該戸先側パネルに連結した袖パネルの端部が前記目隠し壁部の端部に接近するが、前記端面壁部に前記凹陥部を形成するとともに、前記目隠し壁部の端縁で前記戸尻側パネル側に切欠部を設け、該切欠部にパッキンを装着してなるので、仮に前記目隠し壁部の端部と他の可動部分との間に指を挟んだとしても当該パッキンが変形して切欠部内に退避して指を保護することができる。
【００１３】
請求項３によれば、前記戸尻側の側框で間口部の終端を形成する前記端面壁部の表側上下端部に、前記折戸が開放された際に前記戸尻側パネルを当止するための弾性材料からなる緩衝部材を突設してなるので、この緩衝部材の突出高さを指の厚さより高くすれば、折戸の開放直前の状態において指詰めを防止できるのである。
【００１４】
請求項４によれば、戸先側パネルを回動可能に連結するとともに、前記レールに沿って直線移動する袖パネルの回動連結側の端部構造であって、前記袖パネルの側端面から前面側にかけて回動中心を中心軸とした円筒面若しくは円筒面に近い曲面を有するガイド部を形成し、前記戸先側パネルの側端に設けた目地部材と前記ガイド部の表面との間隔を常に指が嵌らない程度に狭く維持してなるので、戸先側パネルと袖パネルとの回動連結部分で指を挟む危険性を完全に排除することができる。
【発明を実施するための最良の形態】
【００１５】
次に、添付図面に示した実施形態に基づき、本発明を更に詳細に説明する。図１は本発明に係る折戸装置の全体を示し、図２〜図４は折戸装置の詳細を示し、図中符号１は折戸、２は戸先側の側框、３は戸尻側の側框、４は上框をそれぞれ示している。
【００１６】
そして、前記折戸１は、戸先側パネル５と戸尻側パネル６とを中間連結体７を介して等角回動可能に連結するとともに、前記戸先側パネル５の側部に横幅の狭い袖パネル８を配して該戸先側パネル５と側部ヒンジ部９で自由回動可能に直接連結した構造となっている。
【００１７】
前記中間連結体７は、縦長帯状の閉塞部材１０の上下端をそれぞれ等角ヒンジ１１，１１で前記戸先側パネル５と戸尻側パネル６の側部上下端に連結して構成している。ここで、前記閉塞部材１０は両側に円柱部１０Ａ，１０Ａを有し、その中間を連結部１０Ｂで一体化した形状を有している。前記等角ヒンジ１１は本体部１１Ａから突出した２枚のウイング１１Ｂ，１１Ｂが連動して同じ角度だけ回動するようになっており、該ウイング１１Ｂ，１１Ｂを前記戸先側パネル５と戸尻側パネル６の側部上下端にネジ止めする。中間連結体７における回動中心は、前記閉塞部材１０の各円柱部１０Ａの中心であり、前記戸先側パネル５と戸尻側パネル６の各側端には同一の型材からなる目地部材１２が取付けられ、該目地部材１２の両側縁に突設した一対の断面略ハ字形の突片１２Ａ，１２Ａ間に前記円柱部１０Ａの一部を非接触状態で受け入れて、光漏れと指詰防止を図っている。
【００１８】
また、前記側部ヒンジ部９は、前記袖パネル８の側端面から前面側にかけて回動中心を中心軸とした円筒面若しくは円筒面に近い曲面を有するガイド部１３を形成し、該ガイド部１３の上下端と前記戸先側パネル５の側部上下端とを自由ヒンジ１４，１４で回動可能に連結して構成している。側部ヒンジ部９における回動中心は、前記ガイド部１３の曲率半径に相当する位置であり、前記戸先側パネル５の側端には前記同様な目地部材１２が取付けられ、該目地部材１２の両突片１２Ａ，１２Ａを、前記ガイド部１３の表面に接近させて配置し、光漏れと指詰防止を図っている。つまり、前記目地部材１２の両突片１２Ａ，１２Ａの先端を結ぶ面が前記ガイド部１３と交叉するように間隔を設定するが、このように目地部材１２とガイド部１３を非常に接近させることにより、その隙間に指が入る余地がなくなっている。前記ガイド部１３の前面側は、前記袖パネル８の前面から若干突出させているが、これは前記袖パネル８に対して戸先側パネル５を最大９０°の角度まで前記目地部材１２の動作軌跡を確保しつつ回動することを許容するためである。
【００１９】
そして、前記袖パネル８の戸先側端部には軟質材料で作製した戸当り１５を取付けるととともに、表裏両面には引手１６，１６を突設している。一方、図３及び図１３に示すように、前記戸尻側パネル６の戸尻側端部に対応する前記側框３の奥部を、その表側部１７よりも初期直線移動方向側へ退避させて凹陥部１８を形成してあり、この凹陥部１８により初期直線移動を許容するための十分な広さの空間部Ｓを確保でき、しかも折戸を開放する動作時に側框３と戸尻側パネル６の戸尻側端部との間隔が最も狭くなった場合でも前記凹陥部１８の存在によって指を余裕を持って退避させて保護することができるのである。尚、前記側框３の奥部に凹陥部１８を形成したので、側框３の表側部１７は間口部内へ突出した状態となり、前記戸尻側パネル６の戸尻側端部と側框３の間の空間部Ｓの一部を隠すことができるので、正面側から見ると空間部Ｓが狭く見えるので外観性の向上も図れるのである。
【００２０】
次に、前記折戸１の開閉機構を説明する。図１及び図２に示すように、前記上框４の内部にアルミ押出し型材からなるレール部材１９を間口全体にわたって横設し、該レール部材１９に一体形成した１条のレール２０に、前記袖パネル８の上端に設けた戸先側吊支体２１と、前記戸尻側パネル６の戸尻側端部上端に設けた戸尻側吊支体２２を用いて移動可能に吊下げる。
【００２１】
そして、前記レール部材１９の戸先側端部に設けた定荷重ばね装置２３から繰り出されたワイヤー（図示せず）を戸先側吊支体２１に連結して、前記折戸１が伸展する方向、つまり閉じ方向に一定荷重で付勢している。また、前記戸先側吊支体２１には、水平な回転軸を有する回転ダンパー２４を設け、前記レール部材１９の戸先側と戸尻側の端部にレール２０の沿って並設したラック２５，２５に前記回転ダンパー２４がそれぞれ噛合するよになっている。前記戸先側のラック２５と回転ダンパー２４とは、折戸１の閉止直前から閉止するまでの動作を緩慢にする機能を果たし、一方、戸尻側のラック２５と回転ダンパー２４とは、開放状態の折戸１の閉止動作を遅らせる機能を果たし、車椅子に乗った人や点滴器具を押して移動する人が自らの操作で出入りする際に、通過のための余裕時間を確保するのである。
【００２２】
次に、本発明の折戸開閉機構における案内装置を更に詳しく説明する。前記折戸１は、戸先側パネル５と戸尻側パネル６とが中間連結体７で連結した部分を表裏一方へ屈曲するように動作することで開くことができるが、前記引手１６を持って袖パネル８をレール２０に沿って移動させるだけで、折戸１の屈曲動作を引き起こすためには付加的な機能が必要である。本実施形態では、折戸１の開放動作の直後には全体がレール２０の沿って直線運動し、それから戸先側パネル５を蹴り出し手段２６で面外方向へ蹴り出すとともに、戸尻側パネル６の戸尻側端部に設けた回動手段２７で開放方向に強制的に回動させるようにしている。
【００２３】
具体的には、前記蹴り出し手段２６は、戸先側パネル５の左右中間部の上端に側設したピン２６Ａを上框４に設けたガイドブロック２６Ｂの傾斜面で摺動押出しする構造である。ここで、折戸１が閉止状態では、前記ピン２６Ａがガイドブロック２６Ｂに係合しているので、前記戸先側パネル５と戸尻側パネル６とに面外方向から力が加わっても横に振れることがなく、閉止状態が安定に維持される。
【００２４】
また、前記回動手段２７は、平面視略扇形のカム歯車２７Ａを、その中心を前記戸尻側吊支体２２に対して戸尻側パネル６を回動可能に連結した回動中心に一致させて前記戸尻側パネル６に回動可能に連結する一方、該カム歯車２７Ａが噛合する短いラック２７Ｂを上框４に固定し、更に前記カム歯車２７Ａが一定の回転角度だけ回動するように規制するストッパー（図示せず）を戸尻側パネル６に設けて構成している。従って、折戸１が閉止状態から開き始めると、先ずカム歯車２７Ａがラック２７Ｂに噛合した状態で戸尻側パネル６に対して自由に回転し、その結果、該戸尻側パネル６はレール２０に沿った直線運動をし、その後ストッパーでカム歯車２７Ａの回転が規制されるが、引き続き該カム歯車２７Ａはラック２７Ｂで回転力が付与されるので、戸尻側パネル６と一体となって回転し、該戸尻側パネル６を強制的に回転させる。一旦、前記戸先側パネル５と戸尻側パネル６とが折れ曲がると、その後は軽い力でより開放する方向へ屈曲させることが可能となる。
【００２５】
前記戸先側吊支体２１を図５〜図８に基づいて説明する。先ず、前記レール部材１９は、水平部１９Ａと垂直部１９Ｂとを有する断面の概略が略Ｌ字形であり、下部の水平部１９Ａの端縁に前記レール２０を立上げて形成するとともに、該水平部１９Ａの下面の後方寄り、つまりコーナー寄りに下方開放したガイド溝２８を形成し、また前記垂直部１９Ｂの上縁前面側に係合溝１９Ｃを形成している。ここで、前記係合溝１９Ｃは、前記定荷重ばね装置２３、ラック２５，２５を取付けるために利用している。前記ガイド溝２８は、前後壁面がレール面２８Ａ，２８Ａとなっており、後方側、つまりコーナー側のレール面２８Ａの縁部には前方へ突出した係合片２８Ｂを形成している。
【００２６】
そして、前記戸先側吊支体２１は、側面視略Ｌ字形の吊支金具２９と、大小二つのローラ３０，３１と、外れ防止部材３２とからなっている。前記吊支金具２９の垂直な基板３３の側面に大径のローラ３０を回転可能に軸着するとともに、小径のローラ３１をその回動軸３４を基板３３の形成した傾斜長孔３５に貫通し、ナット３６で回動軸３４に形成した螺軸に螺合して高さ調節可能に取付けている。そして、前記吊支金具２９の基板３３の下端に折曲形成した下板３７を前記袖パネル８の上端面にネジ止めして取付け、そして前記大小のローラ３０，３１を正面側から前記レール２０に載置する。この際に、前記袖パネル８が水平になるように、前記小径ローラ３１の高さを調節する。このように二つのローラ３０，３１をレール２０に直列に載置することにより、前記戸先側吊支体２１の左右の揺れは規制される。
【００２７】
尚、前記大小二つのローラ３０，３１を用いる代わりに、同じ大きさの二つのローラを傾動板に並設し、該傾動板を前記吊支金具２９の側面に水平な回動軸で枢着しても良い。この場合には、前記折戸１の重心バランスによって袖パネル８の姿勢が決定される。
【００２８】
そして、前記外れ防止部材３２は、支持板３８の水平片３８Ａの上面両側部に垂直な回転軸を備えた一対の補助ローラ３９，３９を突設し、前縁に垂直片３８Ｂを有するものである。前記垂直片３８Ｂには二つの螺孔４０，４０を形成している。そして、前記吊支金具２９のローラ３０，３１をレール２０に載置した吊下げ状態で、前記外れ防止部材３２の補助ローラ３９，３９を斜め下方から前記レール部材１９のガイド溝２８内に挿入し、水平片３８Ａを水平に起して垂直片３８Ｂを前記基板３３の裏面に当接し、その状態でレール部材１９に沿ってスライド移動させ、該基板３３に開設した取付孔４１，４１と垂直片３８Ｂの螺孔４０，４０を位置合わせして、取付孔４１に前方からネジ４２を通して前記螺孔４０に螺合する。前記外れ防止部材３２の補助ローラ３９，３９は、前記ガイド溝２８の両レール面２８Ａ，２８Ａで案内されてレール２０に平行状態を保ち転動する。また、前記ガイド溝２８の係合片２８Ｂの存在により、前記支持板３８を前記吊支金具２９にネジ止めした後には、前記補助ローラ３９，３９がガイド溝２８内から脱落することがないのである。尚、前記レール部材１９は、前記上框４の内部に架設した横桟４３を介して水平に支持されている。
【００２９】
このように、前記戸先側吊支体２１は、直列に配した二つのローラ３０，３１がレール２０上を転動し、該レール２０の転動線から離れた位置で直列に配した二つの補助ローラ３９，３９がガイド溝２８内で転動するので、レール部材１９に対して前後左右及び捩れが規制された状態で安定に走行することができるのである。つまり、図８に示すように、前記レール２０の中心線（転動線）と、前記ガイド溝２８の位置が平面において前後にずれているので、折戸１を開放する際に、引手１６を持って横方向に力を加えた場合、前記袖パネル８には回転する方向にモーメントが作用するが、前記戸先側吊支体２１によってレール２０に沿って移動させることができるのである。
【００３０】
また、前記戸尻側吊支体２２は、前記戸先側吊支体２１と基本的には同じ構成であるが、図９に示すように、側面視略Ｌ字形の吊支金具４４の基板４５に一つのローラ４６を回転可能に側設し、下板４７に垂直な吊支軸４８で前記戸尻側パネル６の端部上端に回転可能に吊下げている。そして、前記吊支軸４８には、前記回動手段２７を構成するカム歯車２７Ａを回転可能に外装している。尚、前記同様の外れ防止部材３２を用い、前記吊支金具４４の基板４５に形成した取付孔４９，４９を利用してネジ５０にて取付ける。
【００３１】
本発明に係る折戸開閉機構は、図１０に示した閉止状態から、前記引手１６を持ってレール２０に沿って前記袖パネル８を移動させると、前記戸先側パネル５と戸尻側パネル６とが中間連結体７を介して１８０°折れ曲がり、図１１に示すように、重なった状態で戸尻側の側框３から直角に突出する。前記折戸１の開放動作の終期に、前記戸先側パネル５と戸尻側パネル６が折り畳まれると同時に、図２及び図１１に示すように、側框３の下部に設けた水平な移動規制板５１の孔５２に、戸尻側パネル６の回動中心の下端に弾性的に突設したボール５３を受け入れるとともに、図９に示すように、前記横桟４３の戸尻側端部に突設した移動規制板５４の係合部に前記吊支軸４８を受け入れてそれ以上の移動を規制する。
【００３２】
前記戸尻側の側框３は、図１０〜図１３に示すように、前記折戸１が閉止動作時に直線移動するので、その移動量を考慮して余裕を持たせた形状となっており、戸袋枠を兼用しているのである。具体的には、前記側框３は、断面略Ｌ字形の概略形状であり、表裏一側部に前記レール２０に沿った目隠し壁部５５と、間口部の終端を形成する端面壁部５６とを有している。そして、前記側框３の端面壁部５６に前記凹陥部１８を形成するとともに、前記目隠し壁部５５の端縁で前記戸尻側パネル６側に切欠部５７を設け、該切欠部５７にパッキン５８を装着している。ここで、前記切欠部５７は、内方へ十分広い空間を確保するためのものであり、また前記パッキン５８は容易に変形可能な軟弾性を有する合成ゴムや多孔質材等で作製され、他の部材との間に指を挟まれたとしても容易に変形し指を埋没させることができるようにしている。
【００３３】
更に、前記側框３の端面壁部５６の表側部１７の上下端部に、弾性材料からなる緩衝部材５９，５９を突設して、折戸１を全開放したときに前記戸尻側パネル６を当止するようにし、しかも前記表側部１７と戸尻側パネル６の表面との間に指よりも十分に広い間隙を確保している。更に、図８、図１０及び図１３に示すように、前記袖パネル８の側端面に弾性材料で形成した突条６０を形成し、折戸１を全開放したときに、該突条６０が戸尻側パネル６の戸尻側部裏面に当止するようにしている。この突条６０は、折戸１の全開放時の衝撃を吸収するためと、折戸１の閉止時に前記目地部材１２の両突片１２Ａ，１２Ａ間に位置して光漏れを防止する作用を高めるためのものである。
【００３４】
最後に、本発明に係る折戸の開閉動作を図１０〜図１３に基づいて説明する。先ず、図１０及び図１２（ａ）に示した閉止状態では、前記目隠し壁部５５のパッキン５８と戸尻側パネル６の端部は僅かの間隙を設けて前後に重なった状態となっている。そして、前記戸尻側パネル６の戸尻側端部に対応する前記端面壁部５６には凹陥部１８を形成しているので、前記戸尻側パネル６の戸尻側端部との間に十分な広さの空間部Ｓが確保されている。
【００３５】
それから、折戸１を開き始めると、図１２（ｂ）に示すように、最初は直線移動だけであるが、途中から図１２（ｃ）に示すように回転運動を伴いながら、前記戸尻側パネル６の戸尻側端部と前記端面壁部５６との間の空間部Ｓが狭まる。この時に、最も指詰めの危険性が高いが、前記端面壁部５６に凹陥部１８を設けているので、常に十分な広さの空間部Ｓが確保されるので、仮に誤って指を差し込んでも指詰の危険性が全くないのである。
【００３６】
更に、前記袖パネル８を側框３側へ移動させて折戸１を開放すると、図１３（ａ）、（ｂ）に示すように、前記袖パネル８の側端部が前記側框３の目隠し壁部５５の端縁に接近し、その間隔が狭まる。この際に、前記袖パネル８の側端部と前記目隠し壁部５５の端縁との間に指を差し入れる可能性は否定できなが、仮に指を差し入れたとしても前記目隠し壁部５５の端縁に切欠部５７を設け、該切欠部５７にパッキン５８を装着しているので、該パッキン５８によって指を保護することができるのである。そして、折戸１を全開放したときには、図１１及び図１３（ｂ）に示すように、前記戸尻側パネル６の戸尻側端部において、その表面が前記側框３に設けた緩衝部材５９，５９に当止するとともに、その裏面に前記袖パネル８の側端部に突設した突条６０を当止するのである。
【００３７】
また、前記突条６０は、図８に示すように、前記袖パネル８の側端部に形成した係合溝６１に上下方向からスライド係合させ、上下端部で前記側部ヒンジ部９，９の回動軸部に設けたベアリング６２，６２の一部で当止して保持している。また、前記戸尻側パネル６の戸尻側端部は、図１２及び図１３に示すように、前記側框３の目隠し部５５に対面する角部に段落ち部６３を形成して、該戸尻側パネル６の回動の際に目隠し部５５に接近させて配置しても当らないようにしている。つまり、前記前記戸尻側パネル６と目隠し部５５との間隔を最小限に狭くすることが可能である。
【００３８】
また、図１０及び図１１に示すように、前記中間連結体７及び側部ヒンジ部９においても指詰め防止を図っている。つまり、前記閉塞部材１０の円柱部１０Ａあるいは前記袖パネル８のガイド部１３と、前記目地部材１２の突片１２Ａ，１２Ａとの間には僅かの隙間しか設定せず、折戸１の開閉時に常に一定の隙間を維持するので、指詰めの可能性は皆無である。尚、前記閉塞部材１０の円柱部１０Ａと連結部１０Ｂの間には、前記目地部材１２の突片１２Ａを受け入れるための逃し溝１０Ｃを形成している。ここで、前記連結部１０Ｂは、小径の円柱状として示したが、単に平板状の形状でも良い。
【図面の簡単な説明】
【００３９】
【図１】折戸の全体を示す簡略正面図である。
【図２】折戸開閉機構を示し、（ａ）は図１のＸ−Ｘ線断面図、（ｂ）は図１のＹ−Ｙ線断面図、（ｃ）は図１のＺ−Ｚ線断面図である。
【図３】折戸の全体を一部破断して示した簡略平面図である。
【図４】折戸の分解斜視図である。
【図５】戸先側吊支体の分解斜視図である。
【図６】同じく施工途中の状態を示す部分断面図である。
【図７】同じく施工後の状態を示す部分断面図である。
【図８】袖パネルとレール及びガイド溝の補助ローラの関係を示す説明用平面図である。
【図９】戸尻側吊支体の施工後の状態を示す部分断面図である。
【図１０】折戸の閉止状態を示す説明用平面図である。
【図１１】折戸の開放状態を示す説明用平面図である。
【図１２】折戸の戸尻部分の動作を説明する簡略断面図であり、（ａ）は折戸の閉止状態、（ｂ）及び（ｃ）は折戸の開放途中の状態を示す。
【図１３】同じく折戸の戸尻部分の動作を説明する簡略断面図であり、（ａ）は全開放直前の状態、（ｂ）は全開放状態を示す。
【符号の説明】
【００４０】
１  折戸、              ２  戸先側の側框、
３  戸尻側の側框、      ４  上框、
５  戸先側パネル、      ６  戸尻側パネル、
７  中間連結体、        ８  袖パネル、
９  側部ヒンジ部、      １１  等角ヒンジ、
１２  目地部材、        １３  半円柱状部、
１４  自由ヒンジ、      １５  戸当り、
１６  引手、            １７  表側部、
１８  凹陥部、          １９  レール部材、
２０  レール、          ２１  戸先側吊支体、
２２  戸尻側吊支体、    ２３  定荷重ばね装置、
２４  回転ダンパー、    ２５  ラック、
２６  蹴り出し手段、    ２７  回動手段、
２８  ガイド溝、        ２９  吊支金具、
３０  ローラ、          ３１  ローラ、
３２  外れ防止部材、    ３３  基板、
３４  回動軸、          ３５  傾斜長孔、
３６  ナット、          ３７  下板、
３８  支持板、          ３９  補助ローラ、
４０  螺孔、            ４１  取付孔、
４２  ネジ、            ４３  横桟、
４４  吊支金具、        ４５  基板、
４６  ローラ、          ４７  下板、
４８  吊支軸、          ４９  取付孔、
５０  ネジ、            ５１  移動規制板、
５２  孔、              ５３  ボール、
５４  移動規制板、      ５５  目隠し壁部、
５６  端面壁部、        ５７  切欠部、
５８  パッキン、        ５９  緩衝部材、
６０  突条、            ６１  係合溝、
６２  ベアリング、      ６３  段落ち部、
Ｓ  空間部。
【図１】
2008121355.tif 000003
【図２】
2008121355.tif 000004
【図３】
2008121355.tif 000005
【図４】
2008121355.tif 000006
【図５】
2008121355.tif 000007
【図６】
2008121355.tif 000008
【図７】
2008121355.tif 000009
【図８】
2008121355.tif 000010
【図９】
2008121355.tif 000011
【図１０】
2008121355.tif 000012
【図１１】
2008121355.tif 000013
【図１２】
2008121355.tif 000014
【図１３】
2008121355.tif 000015